(57)【要約】【課題】従来の画像読取装置に使用される背景部材の色は白色と黒色に大別され、それぞれ短所がある。ユーザは自身が読取を行う原稿に応じて、背景部材の白色部と黒色部の切換または切換設定を行わなければならず、画像読取動作の効率性が悪いという問題があった。【解決手段】画像読取位置より原稿の搬送方向の上流側に配置され、原稿の種類を判定する判定手段を設け、判定手段の結果に基づき、背景部材の色を切換える。これにより、原稿に適した背景部材にユーザ自身による操作なしで切換えを行う。【選択図】図１
2012199798.tif 000002
【特許請求の範囲】
【請求項１】
原稿を搬送する搬送手段と、所定の読取位置で前記原稿を読み取る読取手段を備える画像読取装置であって、
前記読取手段に対向して配置され、前記原稿の背景となる複数の背景色を有する背景部材と、
前記原稿の種類を判定する判定手段と、
前記判定手段により判定した原稿の種類に基づき、前記読取手段にて前記原稿を読み取る際の前記背景部材の背景色を切換える制御手段と
を有することを特徴とする画像読取装置。
【請求項２】
前記判定手段は、前記原稿の透過率を取得する透過率取得手段を有し、
前記透過率取得手段にて取得した透過率に応じて前記原稿の種類を判定することを特徴とする請求項１に記載の画像読取装置。
【請求項３】
前記判定手段は、前記原稿の厚みを取得する厚み取得手段を有し、
前記厚み取得手段にて取得した厚みに応じて前記原稿の種類を判定することを特徴とする請求項１に記載の画像読取装置。
【請求項４】
前記判定手段は、前記原稿の反射率を取得する反射率取得手段を有し、
前記反射率取得手段にて取得した反射率に応じて前記原稿の種類を判定することを特徴とする請求項１に記載の画像読取装置。
【請求項５】
前記判定手段は、前記原稿の主走査方向にライン上に配置され、前記原稿の外形を検出することにより、当該原稿のサイズと傾きを検知することを特徴とする請求項１乃至４のいずれか一項に記載の画像読取装置。
【請求項６】
前記判定手段は、原稿の透過率を検知し、主走査方向における透過率の変化により当該原稿の外形を検出することを特徴とする請求項５に記載の画像読取装置。
【請求項７】
前記制御手段は、前記背景部材の背景色の切換えを行う際に前記搬送手段より搬送された原稿を、切替えた背景色を用いて前記読取手段にて読取が可能な位置まで戻すことを特徴とする請求項１乃至６のいずれか一項に記載の画像読取装置。
【請求項８】
前記背景部材の背景色の切換えを行う際に前記搬送手段により搬送された原稿を戻す距離は、前記搬送手段により当該原稿が搬送された時間に基づくことを特徴とする請求項７に記載の画像読取装置。
【請求項９】
搬送方向に対し前記読取位置よりも前に配置され、原稿の通過により画像の読み取りタイミングを検知する画像読取位置検知手段を更に備え、
前記制御手段が前記背景部材の背景色の切換えを行う際に前記搬送手段により搬送された原稿を戻す位置は、前記画像読取位置検知手段の検知位置であることを特徴とする請求項７に記載の画像読取装置。
【請求項１０】
前記背景部材は、ドラム形状であり、前記複数の背景色それぞれからなる複数の領域を有し、
前記制御手段は、前記背景部材を回転させることで背景色を切替えることを特徴とする請求項１乃至９のいずれか一項に記載の画像読取装置。
【請求項１１】
前記背景部材を構成する複数の背景色は、白色、および黒色を含むことを特徴とする請求項１乃至１０のいずれか一項に記載の画像読取装置。
【請求項１２】
原稿を搬送する搬送手段と、所定の読取位置で前記原稿を読み取る読取手段とを備える画像読取装置の制御方法であって、
当該画像読取装置は更に、前記読取手段に対向して配置され、前記原稿の背景となる複数の背景色を有する背景部材を有し、
制御手段が、前記原稿の種類を判定し、判定した原稿の種類に基づき、前記読取手段にて前記原稿を読み取る際の前記背景部材の背景色を切換えることを特徴とする制御方法。
【発明の詳細な説明】
【技術分野】
【０００１】
本発明は、読取画像の裏写りまたはコントラスト低下を防止する画像読取装置に関する。または読取画像の裏写り、地かぶりを防止し、原稿の傾きとサイズを検知する画像読取装置に関する。
【背景技術】
【０００２】
従来の画像読取装置では、画像読取手段を原稿側に向け、画像読取手段と背景部材との間に配置された原稿に対して、画像読取手段と同側に配置された画像読取センサから光を照射する。そして、反射された光を画像読取手段が読取ることで、画像情報が取得される。また、画像読取装置に使用される背景部材の色は白色と黒色に大別され、それぞれ以下の短所がある。背景部材が白色である場合、原稿に照射された光が原稿を透過した後に、背景部材で反射されて再び原稿を裏面側から透過し、画像読取手段に入射する。この場合、原稿の裏面にも濃度の高い画像が存在すると、裏面の画像が読取対象面に透けてしまう、いわゆる裏写りや、画像濃度の低下が発生してしまい、画像の品質が著しく低下してしまう。一方、背景部材が黒色である場合、原稿側から画像読取手段に入射する光の強度は、原稿における光の透過率に左右されやすい。例えば、第二原図用紙のような光の透過率が高い原稿の場合は、画像読取手段へ入射する光の強度が小さくなり、画像全体が暗くなり画像のコントラストが悪くなってしまう。
【０００３】
そこで、背景部材を白色部と黒色部とを形成し、原稿により使用者が背景部材を切換えることができる手段を設けたもの（例えば、特許文献１）や使用者が指定した読取設定に基づいて、自動的に背景部材が切替わるものが提案されている（例えば、特許文献２）。更に、画像読取装置の原稿搬送方向の上流側に光の透過率を取得する検知手段を設け、検出した透過量に基づいて、光強度の制御または画像情報の補正を行うものが提案されている（例えば、特許文献３、４）。
【０００４】
また、背景部材を複数の原稿サイズに対応した幅を有し白色に施された白色領域部と、白色領域の幅方向の外側に所定幅を有し黒色に施された黒色領域部とが副走査方向に所定の長さで形成された背景部材を用いた技術が開示されている。これは、上記背景部材が副走査方向に原稿サイズの数に対応する数だけ形成され、原稿サイズに対応する背景部を読取位置に位置させ、原稿の傾きを読取結果に基づいて検出する。これにより、読取画像の品質向上と共に原稿の傾きとサイズを検知するものが提案されている（例えば、特許文献５）。
【先行技術文献】
【特許文献】
【０００５】
【特許文献１】特開２０００−２４４７１８号公報
【特許文献２】特開平７−８４４２３号公報
【特許文献３】特開２００６−９３７９１号公報
【特許文献４】特開２００８−１１４５０号公報
【特許文献５】特開２００４−２８２１５１号公報
【発明の概要】
【発明が解決しようとする課題】
【０００６】
しかし、特許文献１および２に記載の画像読取装置はユーザ自身が読取りを行う原稿により、背景部材の白色部と黒色部の切換、または切換設定を行わなければならない。そのため、ユーザの手間が生じ、画像読取動作の効率性が悪いという問題がある。また、特許文献３および４に記載の画像処理装置においては、原稿の透過量と背景部材の色により、光強度の制御または画像情報の補正を行うが、特許文献１および２と同様に、ユーザ自身が背景部材の白色部と黒色部の切換、または切換設定を行わなければならない。よって、これらの特許文献においても、画像読取動作の効率性が悪いという問題が生じる。また、特許文献５に記載の画像処理装置においても、ユーザ自身が背景部材の白色部と黒色部の切換または切換設定を行わなければならず、同様の問題が生じる。加えて、特許文献５では、所定幅の紙に対しては原稿の傾きとサイズを検知することが可能であるが、不定形サイズの紙においては原稿の傾きとサイズを検知することができない。
【０００７】
本発明は、この点に着目してなされたものであり、読取画像の裏写りまたはコントラスト低下を防止し、読取画像の品質を向上させる画像読取装置を提供する。
【課題を解決するための手段】
【０００８】
本発明は、上記目的を達成するために、以下の構成を有する。すなわち、原稿を搬送する搬送手段と、所定の読取位置で前記原稿を読み取る読取手段を備える画像読取装置であって、前記読取手段に対向して配置され、前記原稿の背景となる複数の背景色を有する背景部材と、前記原稿の種類を判定する判定手段と、前記判定手段により判定した原稿の種類に基づき、前記読取手段にて前記原稿を読み取る際の前記背景部材の背景色を切換える制御手段とを有する。
【０００９】
また、本発明は、別の構成として、以下の構成を有する。すなわち、原稿を搬送する搬送手段と、所定の読取位置で前記原稿を読み取る読取手段とを備える画像読取装置の制御方法であって、前記読取手段に対向して配置され、前記原稿の背景となる複数の背景色を有する背景部材を有し、制御手段が、前記原稿の種類を判定し、判定した原稿の種類に基づき、前記読取手段にて前記原稿を読み取る際の前記背景部材の背景色を切換える。
【発明の効果】
【００１０】
本発明により、画像読取動作の効率性が高く、かつ読取画像の裏写りまたはコントラスト低下を防止した、高品質な画像の取得することができる。
【図面の簡単な説明】
【００１１】
【図１】第一実施形態に係る画像読取動作のフローチャート。
【図２】第一実施形態に係る画像読取装置の構成例を示す側断面模式図。
【図３】第一実施形態に係る画像読取装置の電気的接続を示すブロック図。
【図４】第二実施形態に係る画像読取動作のフローチャート。
【図５】第三実施形態に係る画像読取動作のフローチャート。
【図６】第五実施形態に係る画像読取動作のフローチャート。
【図７】第五実施形態に係る画像読取装置の電気的接続を示すブロック図。
【図８】第五実施形態に係る原稿サイズの主走査（幅）方向の検知方法を説明する概略図。
【図９】第五実施形態に係る原稿サイズの副走査（長さ）方向の検知方法を説明する概略図。
【図１０】第五実施形態に係る搬送される原稿の傾きの検知方法を説明する概略図。
【発明を実施するための形態】
【００１２】
以下、本発明の実施形態を図１乃至１０に基づいて説明する。
【００１３】
＜第一実施形態＞
［機器構成］
図２は、本発明の第一実施形態に係る画像読取装置２００の構成例を示す側断面模式図である。以下に画像読取装置２００の各部に関する説明を行う。原稿２０１は、画像読取の対象となる原稿である。原稿台２０２は、原稿２０１を積載する。ピックアップローラ２０４は、原稿２０１を給紙する。フィードローラ２０６は、原稿２０１を搬送する。分離ローラ２１１は、原稿２０１が複数枚あった場合に１枚ずつ給紙する。また、画像読取装置２００は原稿搬送路２４０を備え、搬送ローラ対２４１、２４２、２４３、２４４、２４５は、原稿２０１の搬送を補助する。排出ローラ対２５１は、原稿２０１の排出を補助する。排紙トレイ２６１は、排出された原稿２０１を格納する。原稿読取ユニット２７１は、画像読取センサ光源３０３及び画像読取センサ３０４が一体となっている。
【００１４】
図３は、本発明の第一実施形態に係る画像読取装置２００の電気的接続を示すブロック図である。各部について説明する。主制御部３０１は、画像読取センサ光源光量制御部３０９、画像読取センサ制御部３１０、ＡＦＥ制御部３１１、透過率検出センサ光源光量制御部３１２、Ａ／Ｄ変換部３１５、外部ＩＦ制御部３０８、タイマ３４１を備えている。各部位は以下の役割を担う。画像読取センサ光源光量制御部３０９は、画像読取センサ光源３０３の光量を調整する。画像読取センサ制御部３１０は、画像読取センサ３０４の駆動を行う。ＡＦＥ制御部３１１は、ＡＦＥ（アナログフロントエンド）３０５の制御とＡＦＥ３０５から出力された画像データを取得する。透過率検出センサ光源光量制御部３１２は、透過率検出センサ光源３１３の光量を調整する。Ａ／Ｄ変換部３１５は、透過率検出センサからのアナログ信号をデジタル信号に変換する。外部ＩＦ制御部３０８は、外部情報端末（不図示）に画像データや制御コマンド等の通信を行う。タイマ３４１は、各処理の時間を計測する。
【００１５】
また、主制御部３０１は、記憶部に格納されたプログラム、背景部材色検知センサ３１９、画像読取位置検知センサ３２０、原稿積載検知センサ３２１の入力に基づき、各制御部、背景部材駆動モータ３１６、給紙モータ３１７、搬送モータ３１８の制御を行う。
【００１６】
ＲＯＭ３０２は、主制御部３０１のプログラムを格納している。ＲＡＭ３０６は、主制御部３０１のプログラムの一部と主制御部３０１がＡＦＥ３０５より取得した画像データを一時格納しておく。画像読取センサ光源３０３は、画像読取センサ３０４へ作像用の反射光を入れる。画像読取センサ３０４は、作像用の反射光をアナログの画像データ信号に変換する。ＡＦＥ３０５は、主制御部３０１の制御に基づき、画像読取センサ３０４から送られてきたアナログの画像データ信号の増幅率とオフセットレベルを調整する。そして、ＡＦＥ３０５は、デジタルの画像データ信号にＡ／Ｄ変換してＡＦＥ制御部３１１に画像データ信号を送る。
【００１７】
背景部材３０７は、白色部３０７ａと黒色部３０７ｂとを有し、画像読取センサ３０４に対向させて配置される。透過率検出センサ光源３１３は、透過率検出センサ３１４への透過光を入れる。透過率検出センサ３１４は、透過率検出センサ光源３１３から原稿２０１を透過してきた光量をアナログの検出データ信号に変換する光電変換素子であり、透過率の検出を行う。ここで、背景部材３０７は、背景部材色検知センサ３１９と、原稿読取ユニット２７１とに対向する位置に配置される。そして、背景部材色検知センサ３１９と、原稿読取ユニット２７１とはそれぞれ、背景部材３０７が有する白色部３０７ａと黒色部３０７ｂのいずれか異なって対向するように配置される。つまり、背景部材色検知センサ３１９が白色部３０７ａに対向している状態においては、原稿読取ユニット２７１は、黒色部３０７ｂに対向する状態になる。また、背景部材色検知センサ３１９が黒色部３０７ｂに対向している状態においては、原稿読取ユニット２７１は、白色部３０７ａに対向する状態になる。
【００１８】
背景部材駆動モータ３１６は、背景部材３０７の白色部３０７ａと黒色部３０７ｂとを切換える。本実施形態においては、背景部材駆動モータ３１６により背景部材３０７を回転させることで、原稿読取ユニット２７１に対向する部位を切替える。給紙モータ３１７は、原稿２０１を給紙させる。搬送モータ３１８は、原稿２０１を搬送させる。背景部材色検知センサ３１９は、原稿２０１光を反射させ、背景部材の色の位置を検知する。画像読取位置検知センサ３２０は、原稿２０１光を反射させることにより、画像読取のタイミングを取る。この画像読取位置検知センサ３２０により、原稿が搬送されて通過したタイミングを計ることができる。原稿積載検知センサ３２１は、原稿２０１に光を反射させることにより、原稿２０１が積載されていることを検知する。
【００１９】
［処理フロー］
以下に本実施形態での画像読取動作について図１のフローチャートに基づき説明する。画像読取装置２００にユーザが電源を投入し、主制御部３０１に外部情報端末（不図示）が読取開始信号を送信すると画像読取装置２００は画像読取を開始する。
【００２０】
画像読取を開始すると、まずＳ１０１にて主制御部３０１は、原稿台２０２に配置してある原稿積載検知センサ３２１を用いて、原稿台２０２に原稿２０１が積載されているか否かを判定する。原稿台２０２に原稿２０１が積載されていない場合（Ｓ１０１にてＮＯ）、主制御部３０１は、外部情報端末（不図示）に未積載通知信号を送信し、給紙モータ３１７及び搬送モータ３１８の駆動を停止させ、画像読取を終了する。
【００２１】
原稿台２０２に原稿２０１が積載されている場合（Ｓ１０１にてＹＥＳ）、Ｓ１０２にて主制御部３０１は、給紙モータ３１７及び搬送モータ３１８の駆動を開始させ、それによりピックアップローラ２０４及びフィードローラ２０６が回転を開始する。ここで、原稿２０１は、回転を開始したピックアップローラ２０４により画像読取装置内に給紙される。また、ピックアップローラ２０４により給紙された原稿２０１は、回転を開始したフィードローラ２０６により装置内の原稿搬送路２４０へ搬送される。このとき、ピックアップローラ２０４で給紙された原稿２０１が複数枚である場合、フィードローラ２０６に対向して配置された分離ローラ２１１によって原稿２０１は１枚だけ分離され、搬送される。
【００２２】
Ｓ１０２にて原稿２０１の搬送が開始され、原稿２０１が透過率検出センサ３１４及び透過率検出センサ３１４の対向に配置されている透過率検出センサ光源３１３へ搬送される。そして、透過率検出センサ３１４および透過率検出センサ光源３１３が原稿２０１により遮られることにより、透過率検出センサ光源３１３から透過率検出センサ３１４へ到達する光量は減少し、透過率検出センサ３１４の出力値が変化する。
【００２３】
また、透過率検出センサ３１４の出力値の変化量は、原稿２０１が透過率の高い透明原稿であれば透過率検出センサ３１４を遮る光量が少ない。そのため、透明原稿に対する透過率を検出した場合には、透過率検出センサ３１４の出力値の変化量は、結果として所定値以下となる。そのため、Ｓ１０３にて主制御部３０１は、透過率検出センサ３１４の出力値の変化量が所定値以下であるかを判定し、その結果に基づいて透明原稿であるかを判定する。
【００２４】
また、透過率検出センサ３１４の出力値の変化量が所定値以下であるかの判定は、原稿２０１が副走査方向に移動しているため、判定箇所を副走査ライン上の１個所で判定してもよいし、所定の複数個所で判定しても良い。なお、本判定で用いられる所定値に関しては、予め画像形成装置にて扱われる用紙種類をセンサにて検出しておき、得られた値に基づいて設定されるものとする。また、この所定値は記憶部であるＲＯＭ３０２等に保持しておくものとする。
【００２５】
透過率検出センサ３１４の出力値の変化量が所定値以下である場合（Ｓ１０３にてＹＥＳ）、主制御部３０１は、原稿２０１が透明原稿であると判定する。そのため、地かぶりを起こさないためにＳ１０４にて主制御部３０１は、原稿読取ユニット２７１に対向させて配置されている背景部材３０７が白色部３０７ａになっているかを、背景部材色検知センサ３１９を用いて判定する。ここでの判定では、主制御部３０１は、背景部材色検知センサ３１９の出力が所定値以下であるかに基づいて判定する。これは、背景部材色検知センサ３１９の出力が所定値以下であれば、背景部材色検知センサ３１９へ対向している背景部材３０７は黒色部３０７ｂとなる。したがって、その反対に位置している原稿読取ユニット２７１に対向させて配置させている背景部材３０７は白色部３０７ａになるためである。
【００２６】
逆に背景部材色検知センサ３１９の出力が所定値より大きければ、背景部材色検知センサ３１９へ対向している背景部材３０７は白色部３０７ａとなる。そのため、その反対に位置している原稿読取ユニット２７１に対向させて配置させている背景部材３０７は、黒色部３０７ｂとなる。なお、ここで用いられる所定値は、背景部材色検知センサ３１９にて、背景部材３０７の白色部３０７ａおよび黒色部３０７ｂそれぞれを予め検出させ、その情報に基づいて設定されるものとする。この所定値については、記憶部であるＲＯＭ３０２等に保持されているものとする。
【００２７】
背景部材色検知センサ３１９の出力が所定値以下である場合（Ｓ１０４にてＹＥＳ）、Ｓ１０５にて主制御部３０１は、画像読取位置検知センサ３２０、画像読取センサ光源光量制御部３０９、画像読取センサ制御部３１０、およびＡＦＥ制御部３１１の制御を行う。これにより、主制御部３０１は、画像読取装置２００内の原稿読取ユニット２７１に搬送された原稿２０１の画像を読取る。そして、主制御部３０１は、読取った画像データを外部情報端末（不図示）へ送信する。また、原稿搬送路２４０へ搬送された原稿２０１は、排出ローラ対２５１を介して、排紙トレイ２６１に排出される。画像読取及び原稿排出終了後、Ｓ１０１にて主制御部３０１は原稿台２０２に配置してある原稿積載検知センサ３２１により原稿台２０２に原稿２０１が積載されているかを再度判定する。
【００２８】
背景部材色検知センサ３１９の出力が所定値より大きい場合（Ｓ１０４にてＮＯ）、Ｓ１０７にて主制御部３０１は、背景部材駆動モータ３１６の駆動を開始し、それにより背景部材３０７を回転させる。その後、主制御部３０１は、背景部材色検知センサ３１９の出力が所定値以下となると、原稿読取ユニット２７１に対向させて配置されている背景部材３０７が白色部３０７ａとなるため、背景部材駆動モータ３１６の駆動を停止する。これにより、原稿読取ユニット２７１に対向する背景部材３０７の背景色が白色に切換る。
【００２９】
なお、透過率検出センサ３１４の出力値の変化量が所定値以下であるかの判定処理から背景色の切換えの間も原稿２０１の搬送が行われている。そのため、原稿２０１が原稿読取ユニット２７１に到達する前に透過率検出センサ３１４の出力値の変化量が所定値以下であるかの判定と背景色の切換えを行う必要がある。
【００３０】
Ｓ１０７にて原稿読取ユニット２７１に対向させて配置させている背景部材３０７が白色部３０７ａに切換えられた後、Ｓ１０５にて主制御部３０１は、原稿２０１の画像読取及び原稿排出を行う。透過率検出センサ３１４の出力値の変化量が所定値より大きい場合（Ｓ１０３にてＮＯ）、主制御部３０１は、原稿２０１は透過率の低い原稿であると判定する。そのため、裏写りを起こさないためにＳ１０９にて主制御部３０１は、原稿読取ユニット２７１に対向させて配置させている背景部材３０７が黒色部３０７ｂになっているかを、背景部材色検知センサ３１９を用いて判定する。
【００３１】
原稿読取ユニット２７１に対向させて配置させている背景部材３０７が黒色部３０７ｂである場合（Ｓ１０９にてＹＥＳ）、Ｓ１０５にて主制御部３０１は、原稿２０１の画像読取及び原稿排出を行う。画像読取及び原稿排出終了後、Ｓ１０１にて主制御部３０１は、原稿台２０２に配置してある原稿積載検知センサ３２１により原稿台２０２に原稿２０１が積載されているかを再度判定する。
【００３２】
原稿読取ユニット２７１に対向させて配置させている背景部材３０７が白色部３０７ａである場合（Ｓ１０９にてＮＯ）、Ｓ１１１にて主制御部３０１は、背景部材駆動モータ３１６の駆動を開始させ、背景部材３０７を回転させる。その後、主制御部３０１は、背景部材色検知センサ３１９の出力が所定値より大きくなると、原稿読取ユニット２７１に対向させて配置させている背景部材３０７が黒色部３０７ｂとなり、背景部材駆動モータ３１６の駆動を停止する。これにより背景部材３０７の背景色が黒色に切換る。
【００３３】
また、Ｓ１０７と同様に透過率検出センサ３１４の出力値の変化量が所定値以下であるかの判定から背景色の切換えの間も原稿２０１の搬送が行われている。そのため、原稿２０１が原稿読取ユニット２７１に到達する前に透過率検出センサ３１４の出力値の変化量が所定値以下であるかの判定と背景色の切換えを行う必要がある。
【００３４】
Ｓ１１１にて原稿読取ユニット２７１に対向させて配置させている背景部材３０７が黒色部３０７ｂに切換えられた後、Ｓ１０５にて主制御部３０１は、原稿２０１の画像読取及び原稿排出を行う。
【００３５】
また、本実施形態において透過率の検出に光量を用いたが、透過率の検出に超音波センサを用いてもよい。また、背景部材３０７は、図２において、白色部３０７ａと黒色部３０７ｂとの２つの領域に分けられた構成を示した。しかし、これに限定するものではなく、例えば、背景部材３０７の領域をさらに細かく分け、白色部３０７ａと黒色部３０７ｂとを交互に配置するようにしても構わない。これにより、背景部材３０７の色を切り替える際に、例えば２つの領域で配置した場合には１８０度の回転が必要であるが、より少ない回転角度で済むようにでき、これにより、切替制御の高速化が実現できる。また、本実施形態では、背景部材を構成する複数の背景色として、白色と黒色を用いていた。しかし、これに限定するものではなく、原稿の種類に対応して、他の色を含むようにしても構わない。また、本実施形態において、図２に示すように背景部材３０７は、ドラム形状を有し、回転させることで背景色を切り替えていたが、この形状に限定するものではない。
【００３６】
以上のように本実施の形態では、原稿における光の透過率に基づいて原稿に適した背景部材にユーザによる操作なしで切換えを行う。そのため、画像読取動作の効率性が高く、かつ読取画像の裏写りまたはコントラスト低下を防止した、高品質な画像の取得することができる。
【００３７】
また、原稿判定手段が原稿の透過率を取得する透過率取得手段であることにより、第二原図用紙のような光の透過率が高い原稿を判別することができる。そのため、画像読取動作の効率性が高く、かつ読取画像の裏写りまたはコントラスト低下を防止した、高品質な画像の取得することができる。
【００３８】
＜第二実施形態＞
第二実施形態は第一実施形態に加え、主制御部３０１は、背景部材３０７の切換時に搬送手段が原稿を読取可能な位置まで移動させる。これは、切替制御を行う際に要する時間のうちに、原稿が読取位置を通過してしまうことに対応する構成である。以下に本実施形態での画像読取動作について図４のフローチャートに基づき説明する。
【００３９】
画像読取装置２００に対して、ユーザが電源を投入し、主制御部３０１に外部情報端末（不図示）が読取開始信号を送信すると画像読取装置２００は画像読取を開始する。画像読取を開始すると、まずＳ１０１にて主制御部３０１は、原稿積載検知センサ３２１により原稿台２０２に原稿２０１が積載されているか否かを判定する。原稿２０１が積載されていない場合（Ｓ１０１にてＮＯ）、主制御部３０１は、外部情報端末（不図示）に未積載通知信号を送信し、給紙モータ３１７及び搬送モータ３１８の駆動を停止させ、画像読取を終了する。
【００４０】
原稿２０１が積載されている場合（Ｓ１０１にてＹＥＳ）、Ｓ１０２にて主制御部３０１は、給紙モータ３１７及び搬送モータ３１８の駆動を開始させる。これにより、原稿２０１は画像読取装置内に給紙され、装置内の原稿搬送路２４０へ搬送される。このとき、原稿２０１が複数枚であった場合、原稿２０１は、１枚だけ分離され搬送される。
【００４１】
Ｓ１０２にて原稿２０１の搬送が開始され、原稿２０１が透過率検出センサ３１４及び透過率検出センサ３１４の対向に配置されている透過率検出センサ光源３１３へ搬送される。そして、透過率検出センサ３１４と透過率検出センサ光源３１３が、原稿２０１により遮られる。これにより、透過率検出センサ光源３１３から透過率検出センサ３１４へ到達する光量は減少し、透過率検出センサ３１４の出力値が変化する。
【００４２】
また、透過率検出センサ３１４の出力値の変化量は、原稿２０１が透過率の高い透明原稿であれば透過率検出センサ３１４を遮る光量が少ないため、出力値の変化量が所定値以下となる。そのため、Ｓ１０３にて主制御部３０１は、透過率検出センサ３１４の出力値の変化量が所定値以下であるかを判定し、その結果、搬送された原稿２０１が透明原稿であるかどうかを判定する。
【００４３】
なお、透過率検出センサ３１４の出力値の変化量が所定値以下であるかの判定は、原稿２０１が副走査方向に移動しているため、判定箇所を副走査ライン上の１個所で判定してもよいし、所定の複数個所で判定しても良い。
【００４４】
透過率検出センサ３１４の出力値の変化量が所定値以下である場合（Ｓ１０３にてＹＥＳ）、Ｓ１０４にて主制御部３０１は、原稿読取ユニット２７１に対向された背景部材３０７が白色部３０７ａになっているかを、背景部材色検知センサ３１９を用いて判定する。ここでの判定は、背景部材色検知センサ３１９の出力が所定値以下であるか否かにより判定する。なお、ここで用いられる所定値については、第一実施形態と同様である。
【００４５】
背景部材色検知センサ３１９の出力が所定値以下である場合（Ｓ１０４にてＹＥＳ）、Ｓ１０５にて主制御部３０１は、画像読取位置検知センサ３２０、画像読取センサ光源光量制御部３０９、画像読取センサ制御部３１０、およびＡＦＥ制御部３１１の制御を行う。これにより、画像読取装置内の原稿読取ユニット２７１に搬送された原稿２０１の画像を読取り、読取った画像データを外部情報端末（不図示）へ送信する。また、原稿搬送路２４０へ搬送された原稿２０１は、排出ローラ対２５１を介して、排紙トレイ２６１に排出される。画像読取及び原稿排出終了後、Ｓ１０１にて主制御部３０１は、原稿台２０２に配置してある原稿積載検知センサ３２１により原稿台２０２に原稿２０１が積載されているかを再度判定する。
【００４６】
原稿読取ユニット２７１に対向させて配置されている背景部材３０７が黒色部３０７ｂである場合（Ｓ１０４にてＮＯ）、Ｓ１０６にて主制御部３０１は、給紙モータ３１７及び搬送モータ３１８を、原稿２０１を搬送する際に回転する方向とは逆に回転させる。これにより、主制御部３０１は、原稿２０１を所定位置まで戻し、その後回転を停止させる。
【００４７】
Ｓ１０６にて給紙モータ３１７及び搬送モータ３１８を停止後、Ｓ１０７にて主制御部３０１は、背景部材駆動モータ３１６の駆動を開始させ、背景部材３０７を回転させる。このとき、背景部材色検知センサ３１９のセンサ出力が所定値以下となると、原稿読取ユニット２７１に対向させて配置させている背景部材３０７が白色部３０７ａとなる。これに伴い、主制御部３０１は、背景部材駆動モータ３１６の駆動を停止させる。これにより、原稿読取ユニット２７１に対向された背景部材３０７の背景色が白色に切換る。
【００４８】
Ｓ１０７にて原稿読取ユニット２７１に対向された背景部材３０７が白色部３０７ａに切換え後、Ｓ１０８にて主制御部３０１は、Ｓ１０２と同様に給紙モータ３１７及び搬送モータ３１８の駆動を開始させる。これにより、主制御部３０１は、原稿２０１を装置内の原稿搬送路２４０へ搬送する。そして、Ｓ１０５にて主制御部３０１は、原稿２０１の画像読取及び原稿排出を行う。
【００４９】
透過率検出センサ３１４の出力値の変化量が所定値より大きい場合（Ｓ１０３にてＮＯ）、原稿２０１は透過率の低い原稿である。そのため、裏写りを起こさないために、Ｓ１０９にて主制御部３０１は、原稿読取ユニット２７１に対向している背景部材３０７が黒色部３０７ｂになっているかを、背景部材色検知センサ３１９を用いて判定する。なお、ここで用いられる所定値に関しては、第一実施形態と同様である。
【００５０】
背景部材色検知センサ３１９の出力が所定値より大きい場合（Ｓ１０９にてＹＥＳ）、Ｓ１０５にて主制御部３０１は、原稿２０１の画像読取及び原稿排出を行う。画像読取及び原稿排出終了後、Ｓ１０１にて主制御部３０１は、原稿台２０２に配置してある原稿積載検知センサ３２１を用いて原稿台２０２に原稿２０１が積載されているかを再度判定する。
【００５１】
背景部材色検知センサ３１９のセンサ出力が所定値以下である場合（Ｓ１０９にてＮＯ）、Ｓ１１０にて主制御部３０１は、給紙モータ３１７及び搬送モータ３１８を、通常、原稿２０１を搬送する際に回転する方向とは逆に回転させる。これにより、主制御部３０１は、原稿２０１を所定位置まで戻し、その後回転を停止させる。
【００５２】
Ｓ１１０にて給紙モータ３１７及び搬送モータ３１８停止後、Ｓ１１１にて主制御部３０１は、背景部材駆動モータ３１６の駆動を開始させ、背景部材３０７を回転させる。このとき、背景部材色検知センサ３１９の出力が所定値より大きくなると、原稿読取ユニット２７１に対向させて配置させている背景部材３０７が黒色部３０７ｂとなる。これに伴い、主制御部３０１は、背景部材駆動モータ３１６の駆動を停止させる。これにより、原稿読取ユニット２７１に対向された背景部材３０７の背景色が黒色に切換る。
【００５３】
Ｓ１１１にて原稿読取ユニット２７１に対向された背景部材３０７が黒色部３０７ｂに切換え後、Ｓ１１２にて主制御部３０１は、Ｓ１０２と同様に給紙モータ３１７及び搬送モータ３１８の駆動を開始させる。これにより、主制御部３０１は、原稿２０１を装置内の原稿搬送路２４０へ搬送する。そして、Ｓ１０５にて主制御部３０１は、原稿２０１の画像読取及び原稿排出を行う。
【００５４】
本実施形態では、背景部材３０７の切換時に、給紙モータ３１７及び搬送モータ３１８を停止させ、逆回転させて原稿２０１を所定位置まで移動するようにしている。しかし、透過率検出センサ３１４の出力値の変化量に対する判定箇所が少なく、原稿２０１が原稿読取ユニット２７１に到達する前に透過率検出センサ３１４の出力値の変化量の判定と背景色の切換えを行える場合がある。このような場合には、給紙モータ３１７及び搬送モータ３１８停止させず、そのまま原稿２０１の搬送を行ってもよい。
【００５５】
また、透過率検出センサ３１４の出力値の変化量の判定箇所を、原稿２０１が原稿読取ユニット２７１に到達する前に透過率検出センサ３１４の出力値の変化量の判定と背景色の切換えが間に合う場合と間に合わない場合とで、それぞれに設ける。そして、上記判定と背景色の切換えが間に合う場合と間に合わない場合の判定が異なる場合に、給紙モータ３１７及び搬送モータ３１８を逆転させることで原稿２０１を所定位置まで戻し、背景切換えを行うようにしてもよい。
【００５６】
以上のように本実施形態では、第一実施形態の構成に加え、背景部材の切換時に搬送手段が原稿を読取可能な位置まで移動する構成を設ける。これにより、切替処理に要する時間内に読取位置を通過した原稿があっても、所定の位置まで戻すことができる。また、本実施形態の構成により、透過率取得手段と背景部材の距離を短くすることができ、原稿の搬送速度を速くすることができる。そのため、第一実施形態の効果に加え、画像読取動作の効率性が高く、コンパクトで速度の速い画像読取装置にすることができる。
【００５７】
＜第三実施形態＞
第三実施形態は、第二実施形態の構成に加え、主制御部３０１にて透過手段に原稿２０１が通過する時間を計測し、原稿を移動する量を最小にする。以下に本実施形態での画像読取動作について図５のフローチャートに基づき説明する。
【００５８】
図５は、本実施形態に係る画像読取動作を説明するフローチャートである。また、本実施形態における画像読取装置の電気的接続を示すブロック図は、第一実施形態と同様である。
【００５９】
画像読取装置２００に、ユーザが電源を投入し、主制御部３０１に外部情報端末（不図示）が読取開始信号を送信すると画像読取装置２００は、画像読取を開始する。画像読取が開始されると、まずＳ１０１にて主制御部３０１は、原稿積載検知センサ３２１により原稿台２０２に原稿２０１が積載されているかを判定する。
【００６０】
原稿２０１が積載されていない場合（Ｓ１０１にてＮＯ）、主制御部３０１は、外部情報端末（不図示）に未積載通知信号を送信し、給紙モータ３１７及び搬送モータ３１８の駆動を停止させ、画像読取を終了する。
【００６１】
原稿２０１が積載されている場合（Ｓ１０１にてＹＥＳ）、Ｓ４０２にて主制御部３０１は、給紙モータ３１７及び搬送モータ３１８の駆動を開始させ、原稿２０１を１枚だけ分離して、画像読取装置内の原稿搬送路２４０に給紙、搬送される。さらに、主制御部３０１はタイマ３４１をスタートさせ、時間の計測を開始する。原稿２０１の搬送及び時間の計測が開始され、原稿２０１が透過率検出センサ３１４及び透過率検出センサ３１４に対向している透過率検出センサ光源３１３へ搬送されると、透過率検出センサ３１４と透過率検出センサ光源３１３とが原稿２０１により遮られる。これにより、透過率検出センサ光源３１３から透過率検出センサ３１４へ到達する光量は減少し、透過率検出センサ３１４の出力値が変化する。
【００６２】
Ｓ１０３にて主制御部３０１は、透過率検出センサ３１４の出力値の変化量が所定値以下であるかを判定する。透過率検出センサ３１４の出力値の変化量が所定値以下である場合（Ｓ１０３にてＹＥＳ）、主制御部３０１は、原稿読取ユニット２７１に対向させて配置させている背景部材３０７が白色部３０７ａになっているかを、背景部材色検知センサ３１９を用いて判定する。ここで用いられる所定値は、第一実施形態と同様である。
【００６３】
背景部材色検知センサ３１９の出力が所定値以下である場合（Ｓ１０３にてＹＥＳ）、Ｓ４１１にて主制御部３０１は、タイマ３４１をストップさせ、時間の計測を終了する。タイマ３４１をストップさせた後、Ｓ１０５にて主制御部３０１は、画像読取位置検知センサ３２０、画像読取センサ光源光量制御部３０９、画像読取センサ制御部３１０、およびＡＦＥ制御部３１１の制御を行う。これにより、主制御部３０１は、画像読取装置２００内の原稿読取ユニット２７１に搬送された原稿２０１の画像を読取る。そして主制御部３０１は、読取った画像データを外部装置（不図示）へ送信する。また、原稿搬送路２４０へ搬送された原稿２０１は、排出ローラ対２５１を介して、排紙トレイ２６１に排出される。さらに主制御部３０１は、タイマ３４１のカウンタをクリアして時間の計測時間を初期値に戻す。
【００６４】
画像読取及び原稿排出及びタイマ３４１のカウンタクリアの処理終了後、Ｓ１０１にて主制御部３０１は、原稿台２０２に配置してある原稿積載検知センサ３２１により原稿台２０２に原稿２０１が積載されているかを再度判定する。
【００６５】
背景部材色検知センサ３１９の出力が所定値より大きい場合（Ｓ１０４にてＮＯ）、Ｓ４１２にて主制御部３０１は、タイマ３４１をストップさせ、時間の計測を終了する。時間の計測を終了した後、Ｓ１０６にて主制御部３０１は、給紙モータ３１７及び搬送モータ３１８を逆に回転させ、原稿２０１をタイマ３４１で計測した時間の分だけ原稿２０１が搬送された距離まで戻した後、停止する。一定の時間に搬送される距離は予め定義でき、この時間単位の搬送距離とタイマ３４１により計測された時間とを用いて、原稿２０１を戻してもよい。
【００６６】
給紙モータ３１７及び搬送モータ３１８の停止後、Ｓ１０７にて主制御部３０１は、背景部材駆動モータ３１６の駆動を開始させ、背景部材３０７を回転させる。これにより、主制御部３０１は、背景部材３０７の背景色を白色に切換える。原稿読取ユニット２７１に対向された背景部材３０７を白色部３０７ａに切換え後、Ｓ１０８にて主制御部３０１は、Ｓ１０２と同様に給紙モータ３１７及び搬送モータ３１８の駆動を開始させ、原稿２０１を装置内の原稿搬送路２４０へ搬送する。そして、Ｓ４０５にて主制御部３０１は、原稿２０１の画像読取及び原稿排出及びタイマ３４１のカウンタをクリアし、時間の計測時間を初期値に戻す処理を行う。
【００６７】
透過率検出センサ３１４の出力値の変化量が所定値より大きい場合（Ｓ１０３にてＮＯ）、Ｓ１０９にて主制御部３０１は、原稿読取ユニット２７１に対向された背景部材３０７が黒色部３０７ｂになっているかを、背景部材色検知センサ３１９を用いて判定する。ここで用いられる所定値は、第一実施形態と同様である。
【００６８】
背景部材色検知センサ３１９の出力が所定より大きい場合（Ｓ１０９にてＹＥＳ）、Ｓ４１３にて主制御部３０１は、タイマ３４１をストップさせ、時間の計測を終了する。時間の計測を終了した後、Ｓ４０５にて主制御部３０１は、原稿２０１の画像読取及び原稿排出及びタイマ３４１のカウンタをクリアして時間の計測時間を初期値に戻す処理を行う。そして、画像読取及び原稿排出及びタイマ３４１のカウンタをクリア終了後、Ｓ１０１にて主制御部３０１は、原稿台２０２に配置してある原稿積載検知センサ３２１により原稿台２０２に原稿２０１が積載されているかを再度判定する。
【００６９】
背景部材色検知センサ３１９の出力が所定値以下ある場合（Ｓ１０９にてＮＯ）、Ｓ４１４にて主制御部３０１は、タイマ３４１をストップさせ、時間の計測を終了する。タイマ３４１をストップさせ、時間の計測を終了した後、Ｓ１１０にて主制御部３０１は、給紙モータ３１７及び搬送モータ３１８を逆に回転させ、原稿２０１をタイマ３４１で計測した時間の分だけ原稿２０１が搬送された距離まで戻した後、停止する。
【００７０】
給紙モータ３１７及び搬送モータ３１８の停止後、Ｓ１１１にて主制御部３０１は、背景部材駆動モータ３１６の駆動を開始させ、背景部材３０７を回転させる。これにより、主制御部３０１は、背景部材３０７の背景色が黒色に切換える。原稿読取ユニット２７１に対向させて配置させている背景部材３０７を黒色部３０７ｂに切換え後、Ｓ１１２にて主制御部３０１は、Ｓ１０２と同様に給紙モータ３１７及び搬送モータ３１８の駆動を開始させ、原稿２０１を装置内の原稿搬送路２４０へ搬送する。そして、Ｓ４０５にて主制御部３０１は、原稿２０１の画像読取及び原稿排出及びタイマ３４１のカウンタをクリアし、時間の計測時間を初期値に戻す処理を行う。
【００７１】
画像読取、原稿排出、及びタイマ３４１のカウンタクリアの処理終了後、Ｓ１０１にて主制御部３０１は、原稿台２０２に配置してある原稿積載検知センサ３２１により原稿台２０２に原稿２０１が積載されているかを再度判定する。
【００７２】
本実施形態では、背景部材３０７の切換時に、給紙モータ３１７及び搬送モータ３１８を停止させ、逆回転させて原稿２０１を所定位置まで移動するようにしている。しかし、透過率検出センサ３１４の出力値の変化量に対する判定箇所が少なく、原稿２０１が原稿読取ユニット２７１に到達する前に透過率検出センサ３１４の出力値の変化量が所定値以下であるかの判定と背景色の切換えを行える場合がある。このような場合には、給紙モータ３１７及び搬送モータ３１８停止させず、そのまま原稿２０１の搬送を行ってもよい。
【００７３】
また、透過率検出センサ３１４の出力値の変化量の判定箇所を、原稿２０１が原稿読取ユニット２７１に到達する前に透過率検出センサ３１４の出力値の変化量の判定と背景色の切換えが間に合う場合と間に合わない場合とで、それぞれに設ける。そして、上記判定と背景色の切換えが間に合う場合と間に合わない場合の判定が異なる場合に、給紙モータ３１７及び搬送モータ３１８を逆転させることで原稿２０１を所定位置まで戻し、背景切換えを行うようにしてもよい。
【００７４】
以上のように本実施形態では、原稿を移動する位置（距離）を透過手段に原稿が通過した時間に基づいて制御する手段を第二実施形態に加える。これにより、原稿を移動する量を最小にし、より精度を高くとすることができる。したがって、第一および第二実施形態の効果に加え、より画像読取動作の効率を良くすることができる。
【００７５】
＜第四実施形態＞
第四実施形態は、第二実施形態に加え、主制御部３０１にて画像読取のタイミングを取るための画像読取位置検知センサ３２０の検知位置まで原稿を移動することで、原稿を移動する量を最小にする。ここで、画像読取位置検知センサ３２０は、図２に示すように、原稿搬送路２４０の搬送方向に対して、読取位置よりも前に位置する。
【００７６】
以上のように本実施形態では、原稿を移動する位置を画像読取のタイミングを取るための画像読取位置検知手段の位置まで移動することで、原稿を移動する量を最小とすることができる。これにより、第二実施形態の効果に加え、より画像読取動作の効率が高くなる。
【００７７】
＜第五実施形態＞
第五実施形態は、第一乃至第四実施形態の透過率を取得する透過率取得手段について、原稿の主走査方向にライン上に配置して、透過量から原稿の枠（外形）を検知することにより、原稿のサイズと傾き検知を行う。
【００７８】
図７は、本実施形態における画像読取装置の電気的接続を示すブロック図である。以下、すでに説明した第一乃至第四実施形態における画像読取装置と異なる部分について説明する。
【００７９】
主制御部７０１は枠検出センサ制御部７０２、画像読取センサ光源光量制御部３０９、画像読取センサ制御部３１０、ＡＦＥ制御部３１１、外部ＩＦ制御部３０８、タイマ３４１を備えている。枠検出センサ制御部７０２は、枠検出センサ光源７１１の光量を調整、枠検出センサ７１２の駆動、枠検出ＡＦＥ７１３の制御を行う。また、枠検出センサ制御部７０２は、枠検出ＡＦＥ７１３から出力された画像データを取得し、取得した画像データを並び替え、２値化処理、及び枠切り処理を行う。画像読取センサ光源光量制御部３０９は画像読取センサ光源３０３の光量を調整する。画像読取センサ制御部３１０は、画像読取センサ３０４の駆動を行う。ＡＦＥ制御部３１１は、ＡＦＥ３０５の制御、及びＡＦＥ３０５から出力された画像データを取得する。外部ＩＦ制御部３０８は、外部情報端末（不図示）に画像データや制御コマンド等の通信を行う。タイマ３４１は時間を計測する。
【００８０】
また、主制御部７０１は、記憶部に格納されたプログラム、背景部材色検知センサ３１９、画像読取位置検知センサ３２０、原稿積載検知センサ３２１の入力に基づき、各制御部、背景部材駆動モータ３１６、給紙モータ３１７、搬送モータ３１８の制御を行う。
【００８１】
枠検出センサ光源７１１は、枠検出センサ７１２への透過光を照射する。また、本実施形態において、枠検出センサ光源７１１は、図２に示す透過率検出センサ光源３１３と同位置に配置されている。枠検出センサ７１２は、枠検出センサ光源７１１から原稿２０１を透過してきた光をアナログの検出データ信号に変換する光電変換素子を有し、原稿２０１の枠と透過率の検出を行う。また、枠検出センサ７１２は、画像読取センサ３０４と同様に原稿２０１の主走査方向にライン上に配置されており、枠検出センサ７１２の長さは原稿２０１の幅より広くなっている。また、本実施形態において、枠検出センサ７１２は、図２に示す透過率検出センサ３１４と同位置に配置されている。
【００８２】
枠検出ＡＦＥ７１３は、主制御部７０１の制御に基づき、枠検出センサ７１２から送信されたアナログの画像データ信号の増幅率とオフセットレベルとを調整し、デジタルの画像データ信号にＡ／Ｄ変換して枠検出センサ制御部７０２に画像データ信号を送る。
【００８３】
［処理フロー］
以下に本実施形態での画像読取動作について図６のフローチャートに基づき説明する。画像読取装置２００にユーザが電源を投入し、主制御部７０１に対して外部情報端末（不図示）が読取開始信号を送信すると、画像読取装置２００は画像読取を開始する。
【００８４】
画像読取を開始すると、まずＳ６０１にて主制御部７０１は、原稿積載検知センサ３２１を用いて、原稿台２０２に原稿２０１が積載されているかを判定する。原稿２０１が積載されていない場合（Ｓ６０１にてＮＯ）、主制御部７０１は、外部情報端末（不図示）に未積載通知信号を送信し、給紙モータ３１７及び搬送モータ３１８の駆動を停止させ、画像読取を終了する。
【００８５】
原稿２０１を積載している場合（Ｓ６０１にてＹＥＳ）、Ｓ６０２にて主制御部７０１は、給紙モータ３１７及び搬送モータ３１８の駆動を開始させる。これにより、原稿２０１は、１枚だけ分離され、画像読取装置内の原稿搬送路２４０に給紙、搬送される。さらに、主制御部７０１は、タイマ３４１をスタートさせ、時間の計測を開始する。
【００８６】
原稿２０１の搬送及び時間の計測が開始され、原稿２０１が枠検出センサ７１２及び枠検出センサ７１２の対向に配置されている枠検出センサ光源７１１へ搬送されると、枠検出センサ７１２と枠検出センサ光源７１１が原稿２０１により遮られる。これにより、枠検出センサ７１２から枠検出センサ光源７１１へ到達する光量は減少し、枠検出センサ７１２の出力値が変化する。
【００８７】
Ｓ６０３にて主制御部７０１は、枠検出センサ７１２の出力値の変化量が所定値以下であるかを判定する。なお、枠検出センサ７１２は原稿の主走査方向にライン上に配置されているため、出力値の変化量の判定箇所はライン上の１個所で判定してもよいし、所定の複数画素で判定しても良い。また、枠検出センサ７１２の出力値の変化量が所定値以下であるかの判定は、原稿２０１が副走査方向に移動しているため、判定箇所を副走査ライン上の１個所で判定してもよいし、副走査ライン上の所定の複数個所で判定しても良い。なお、ここで用いられる所定値は、第一実施形態と同様である。
【００８８】
透過率検出センサ３１４の出力値の変化量が所定値以下である場合（Ｓ６０３にてＹＥＳ）、主制御部７０１は、原稿読取ユニット２７１に対向させて配置させている背景部材３０７が白色部３０７ａであるかを、背景部材色検知センサ３１９を用いて判定する。
【００８９】
背景部材色検知センサ３１９の出力が所定値以下である場合（Ｓ６０４にてＹＥＳ）、Ｓ６１１にて主制御部７０１は、タイマ３４１をストップさせ、時間の計測を終了する。タイマ３４１をストップさせた後、Ｓ６０５にて主制御部７０１は、画像読取位置検知センサ３２０、画像読取センサ光源光量制御部３０９、画像読取センサ制御部３１０、ＡＦＥ制御部３１１の制御を行う。これにより、主制御部７０１は、画像読取装置内の原稿読取ユニット２７１に搬送された原稿２０１の画像を読取り、読取った画像データを外部装置（不図示）へ送信する。また、原稿搬送路２４０へ搬送された原稿２０１は、排出ローラ対２５１を介して、排紙トレイ２６１に排出される。さらに主制御部７０１は、タイマ３４１のカウンタをクリアして時間の計測時間を初期値に戻す。
【００９０】
Ｓ６０５にて画像読取及び原稿排出及びタイマ３４１のカウンタクリアの処理終了後、Ｓ６１５にて主制御部７０１は、枠検出センサ制御部７０２に送られてきた枠検出画像データ８０１を用いて、原稿のサイズと傾きを検知する。
【００９１】
［枠検知（主走査方向）］
ここで、原稿サイズの主走査（幅）方向の検知方法について図８を用いて説明する。図８において、枠検出画像データ８０１は、枠検出センサ７１２の出力信号をＡ／Ｄ変換したデジタルデータである。枠検出画像データ８０１は、端部の受光素子に対応する画素データを先頭に枠検出センサ制御部７０２に順次入力される。
【００９２】
枠検出センサ制御部７０２は、枠検出センサ７１２の出力信号に基づいて枠検出画像データ８０１に対して閾値８０２を用いて２値化処理を行う。原稿端画像データ８０３、８０４は、枠検出画像データ８０１が枠検出センサ制御部７０２により２値化されたものであり、白は画素値１の画素、黒は画素値０の画素を表している。枠検出センサ制御部７０２は、予め定義された適切な閾値を用いて２値化処理を行うこと。これにより、枠検出画像データ８０１のうち、枠検出センサ７１２に原稿２０１が重なっていない部分は白画素になり、原稿２０１が重なっている部分は黒画素になる。
【００９３】
また、枠検出用の変化量（閾値）は全ての原稿を検出する必要があるため、Ｓ６０３で行う枠検出センサ７１２の出力値の変化量（透過率の判定）より低い値になる。
【００９４】
原稿２０１の幅方向の左端を検出する際、枠検出センサ７１２に左からのライン走査を行わせると、枠検出センサ７１２の左端（先端）から矢印Ｃの方向へ走査され、左端の受光素子に対応する画素の２値化データを先頭に枠検出センサ制御部７０２に入力される。
【００９５】
枠検出センサ制御部７０２は、２値化された枠検出画像データ８０１を左端の画素を先頭として入力される順に監視し、何画素目に最初に白から黒へ変化したかを検知する。図８において、２値化した原稿端画像データ８０３は、枠検出センサ７１２の左端から数えてｍ画素目で白から黒に変化している。枠検出センサ制御部７０２は、この変化点を検出すると、当該ラインにおける原稿２０１の左端の検出処理を終了する。なお、この変化点の検出後に数画素にわたり検出を続け、ノイズによる誤検出を防止してもよい。
【００９６】
次に、原稿２０１の幅方向の右端を検出する場合、枠検出センサ７１２に右からのライン走査を行わせると、左端検知時とは逆に枠検出センサ７１２の右端（後端）から矢印Ｄの方向へ走査される。そして、右端の受光素子に対応する画素の２値化データを先頭として、各２値化データが矢印Ｄの方向へ枠検出センサ制御部７０２に順次入力される。
【００９７】
枠検出センサ制御部７０２は、右端の画素を先頭として入力される順に監視し、何画素目に最初に白から黒へ変化したかを検出する。２値化した原稿端画像データ８０４は、枠検出センサ７１２の右端から数えてｎ画素目で白から黒に変化している。この変化点を検出すると当該ラインにおける原稿の右端の検出処理を終了する。なお、この変化点の検出後に数画素にわたり検出を続け、ノイズによる誤検出を防止してもよい。
【００９８】
［枠検知（副走査方向）］
次に、図９を参照して、原稿サイズの副走査（長さ）方向の検知について説明する。図９は、搬送されている原稿を枠検出センサ７１２が走査した位置を示す図である。破線１００２は、時間ｔ（０）の時に枠検出センサ７１２が走査した位置を示している。同様に、破線１００３〜１００８はそれぞれ、時間ｔ（１）〜時間ｔ（ｎ）の際の走査位置を示している。
【００９９】
時間ｔ（０）の時、原稿２０１はまだ枠検出センサ７１２に到達していないため、枠検出センサ７１２から出力される画像信号は全て白画素信号になる。つまり、原稿２０１の右端および左端が検出できないため、原稿２０１は枠検出センサ７１２に到達していないと判断できる。時間ｔ（１）の時、原稿２０１は枠検出センサ７１２に到達しているので、原稿２０１の右端および左端を検出することができる。したがって、ｔ（０）からｔ（１）に経過する間に、原稿２０１の搬送方向における先端は枠検出センサ７１２に到達したと考えられる。
【０１００】
同様に、原稿の搬送方向における後端についても、時間ｔ（ｎ−１）に原稿の右端、左端を検出でき、時間ｔ（ｎ）に原稿の右端、左端を検出できなくなる。そのため、ｔ（ｎ−１）からｔ（ｎ）に経過する間に原稿２０１の後端が枠検出センサ７１２を通過したと考えることができる。
【０１０１】
ここで、枠検出センサ７１２は一定時間ごとに走査されているので、原稿の先端を検出してから後端が通過するまでの走査回数と搬送速度より、原稿の長さを検出することができる。また、原稿２０１の搬送速度に対して、枠検出センサ７１２の走査時間は非常に短いので、ｔ（０）からｔ（１）の間に原稿２０１が進んだ距離、およびｔ（ｎ−１）からｔ（ｎ）の間に原稿２０１が進んだ距離はほぼ無視できる値である。
【０１０２】
［傾き検知］
次に、搬送される原稿２０１の傾きの検知について図１０を用いて説明する。枠検出センサ７１２は一定時間ごとに原稿２０１を走査しているため、白画素から黒画素への変化点である原稿端画素の画素位置が１ラインの走査を行うごとに検出できる。検出された原稿端画素の画素位置はラインごとにＲＡＭ３０６に記憶しておく。
【０１０３】
図１０は、記憶した原稿端画素の画素位置を一定時間ごとに原稿が進む距離ごとに簡略化してＸＹ座標上に並べたものである。座標（ｘ１１、ｙ１）、（ｘ１３、ｙ３）、（ｘ１５、ｙ５）、（ｘ１７、ｙ７）、（ｘ１９、ｙ９）が原稿左端画素の座標である。同様に、座標（ｘ２２、ｙ２）、（ｘ２４、ｙ４）、（ｘ２６、ｙ６）、（ｘ２８、ｙ８）が原稿右端画素の座標である。
【０１０４】
図１０のように、左端画素の座標、右端画素の座標は、それぞれ２ラインごとに検出される。それぞれのラインについて検出を行わなかった原稿端画素の座標は、補間等により求めることができる。なお、検出間隔は、上記に限定するものではなく、例えば処理部への負荷や必要とする精度を考慮して３ライン以上ごとに行っても構わない。
【０１０５】
上記一定時間で原稿２０１が搬送される距離は原稿２０１の搬送速度から割り出すことができる。上記一定時間で原稿２０１が搬送される距離と、原稿端画素位置の１ラインあたりの平均的ずれ量から、枠検出センサ制御部７０２は原稿の傾きを検出することができる。また、検出された原稿の傾きから原稿２０１の４隅を算出することが可能であり、傾いた状態で積載された場合であっても、原稿２０１のサイズ検出は可能となる。
【０１０６】
図６に示す処理の説明に戻る。Ｓ６１５にて主制御部７０１が原稿のサイズと傾きを検知後、主制御部７０１は、原稿台２０２に配置してある原稿積載検知センサ３２１により原稿台２０２に原稿２０１が積載されているかを再度判定する。
【０１０７】
背景部材色検知センサ３１９の出力が所定値より大きい場合（Ｓ６０４にてＮＯ）、Ｓ６１２にて主制御部７０１は、タイマ３４１をストップさせ、時間の計測を終了する。時間の計測を終了した後、Ｓ６０６にて主制御部７０１は、給紙モータ３１７及び搬送モータ３１８を逆回転させ、原稿２０１をタイマ３４１で計測した時間の分だけ、原稿２０１が搬送された距離まで戻した後、停止する。給紙モータ３１７及び搬送モータ３１８の停止後、Ｓ６０７にて主制御部７０１は、背景部材駆動モータ３１６の駆動を開始させ、背景部材３０７を回転させる。これにより、主制御部７０１は、背景部材３０７の背景色を白色に切換える。
【０１０８】
原稿読取ユニット２７１に対向された背景部材３０７を白色部３０７ａに切換え後、Ｓ６０８にて主制御部７０１は、Ｓ６０２と同様に給紙モータ３１７及び搬送モータ３１８の駆動を開始させ、原稿２０１を装置内の原稿搬送路２４０へ搬送する。そして、Ｓ６０５にて主制御部７０１は、原稿２０１の画像読取及び原稿排出及びタイマ３４１のカウンタをクリアして時間の計測時間を初期値に戻す処理を行う。
【０１０９】
枠検出センサ７１２の出力値の変化量が所定値より大きい場合（Ｓ６０３にてＮＯ）、Ｓ６０９にて主制御部７０１は、原稿読取ユニット２７１に対向されている背景部材３０７が黒色部３０７ｂになっているかを背景部材色検知センサ３１９により判定する。ここで用いられる所定値は第一実施形態と同様である。背景部材色検知センサ３１９の出力が所定より大きい場合（Ｓ６０９にてＹＥＳ）、Ｓ６０５にて主制御部７０１は、原稿２０１の画像読取及び原稿排出及びタイマ３４１のカウンタをクリアして時間の計測時間を初期値に戻す処理を行う。
【０１１０】
Ｓ６０５にて画像読取及び原稿排出及びタイマ３４１のカウンタをクリア終了後、Ｓ６１５にて主制御部７０１は、枠検出センサ制御部７０２に送られてきた枠検出画像データ８０１を用いて、原稿のサイズと傾きを検知する。原稿２０１のサイズと傾きを検知後、Ｓ６０１にて主制御部７０１は原稿台２０２に配置してある原稿積載検知センサ３２１により原稿台２０２に原稿２０１が積載されているかを再度判定する。
【０１１１】
背景部材色検知センサ３１９の出力が所定値以下である場合（Ｓ６０９にてＮＯ）、Ｓ６１４にて主制御部７０１は、タイマ３４１をストップさせ、時間の計測を終了する。時間の計測を終了後、Ｓ６１０にて主制御部７０１は、給紙モータ３１７及び搬送モータ３１８を逆に回転させ、原稿２０１をタイマ３４１で計測した時間の分だけ、原稿２０１が搬送された距離まで戻した後、停止する。一定時間当たりの搬送される距離については、第一実施形態と同様である。
【０１１２】
給紙モータ３１７及び搬送モータ３１８の停止後、Ｓ６１１にて主制御部７０１は、背景部材駆動モータ３１６の駆動を開始し、背景部材３０７を回転させる。これにより、主制御部７０１は、背景部材３０７の背景色が黒色に切換える。原稿読取ユニット２７１に対向された背景部材３０７を黒色部３０７ｂに切換え後、Ｓ６１２にて主制御部７０１は、Ｓ６０２と同様に給紙モータ３１７及び搬送モータ３１８の駆動を開始させ、原稿２０１を装置内の原稿搬送路２４０へ搬送する。そして、Ｓ６０５にて主制御部７０１は、原稿２０１の画像読取及び原稿排出及びタイマ３４１のカウンタをクリアし、時間の計測時間を初期値に戻す処理を行う。画像読取、原稿排出、及びタイマ３４１のカウンタクリアの処理終了後、Ｓ６１５にて主制御部７０１は、枠検出センサ制御部７０２に送られてきた枠検出画像データ８０１を用いて、原稿のサイズと傾きを検知する。
【０１１３】
本実施形態では、背景部材３０７の切換時に、給紙モータ３１７及び搬送モータ３１８を停止させ、逆回転させて原稿２０１を所定位置まで移動するようにしている。しかし、透過率検出センサ３１４の出力値の変化量に対する判定箇所が少なく、原稿２０１が原稿読取ユニット２７１に到達する前に透過率検出センサ３１４の出力値の変化量が所定値以下であるかの判定と背景色の切換えを行える場合がある。このような場合には、給紙モータ３１７及び搬送モータ３１８停止させず、そのまま原稿２０１の搬送を行ってもよい。
【０１１４】
また、透過率検出センサ３１４の出力値の変化量の判定箇所を、原稿２０１が原稿読取ユニット２７１に到達する前に透過率検出センサ３１４の出力値の変化量の判定と背景色の切換えが間に合う場合と間に合わない場合とで、それぞれに設ける。そして、上記判定と背景色の切換えが間に合う場合と間に合わない場合の判定が異なる場合に、給紙モータ３１７及び搬送モータ３１８を逆転させることで原稿２０１を所定位置まで戻し、背景切換えを行うようにしてもよい。
【０１１５】
以上のように本実施形態では、第一乃至四実施形態に加え、透過率取得手段が前記原稿の主走査方向にライン上に配置され、透過量から原稿の枠を検知する。これにより、第一実施形態の効果に加え、原稿のサイズと傾きも検知できる、高品質な画像の取得することができる。
【０１１６】
＜第六実施形態＞
第五実施形態は、背景部材の切換え判定及び原稿のサイズと傾きの検知を枠検出センサ制御部７０２で行っていた。これに対し、第六実施形態は、枠検出ＡＦＥ７１３から取得された枠検出データを画像データとして、外部情報端末（不図示）に送信し、外部情報端末にて背景部材の切換え判定及び原稿のサイズと傾きの検知を行う。
【０１１７】
以上のように本実施形態では、第一乃至第四実施形態に加え、透過率取得手段が原稿の主走査方向にライン上に配置され、透過量から原稿の枠を検知するようにしたことで、原稿のサイズと傾きも検知できる、高品質な画像の取得することができる。
【０１１８】
＜第七実施形態＞
第七実施形態は、第一乃至六実施形態の透過率を取得する透過率取得手段の部分を、原稿の厚みを取得する原稿厚み取得手段に変更したものである。原稿厚みの検出には、超音波、電波、光量、レバーによる原稿の押し込み量等を用いて検出を行う。
【０１１９】
以上のように本実施形態では、原稿における厚みに基づいて原稿に適した背景部材にユーザ自身による操作なしで切換えを行う。そのため、画像読取動作の効率性が高く、かつ読取画像の裏写りまたはコントラスト低下を防止した、高品質な画像の取得することができる。
【０１２０】
＜第八実施形態＞
第八実施形態は、第一乃至第七実施形態の透過率を取得する透過率取得手段の部分を、原稿の反射率を取得する反射率取得手段に変更したものである。反射率の検出には、超音波、電波、光量等を用いて検出を行う。
【０１２１】
以上のように本実施形態では、原稿における反射率に基づいて原稿に適した背景部材にユーザ自身による操作なしで切換えを行う。そのため、画像読取動作の効率性が高く、かつ読取画像の裏写りまたはコントラスト低下を防止した、高品質な画像の取得することができる。
【０１２２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012199798.tif 000003
【図２】
2012199798.tif 000004
【図３】
2012199798.tif 000005
【図４】
2012199798.tif 000006
【図５】
2012199798.tif 000007
【図６】
2012199798.tif 000008
【図７】
2012199798.tif 000009
【図８】
2012199798.tif 000010
【図９】
2012199798.tif 000011
【図１０】
2012199798.tif 000012